(57)【要約】【課題】機械仕掛けや電気仕掛けのような構造が複雑な装置ではなく簡単な構造によって、パッティンググリーン面を損傷することなく、旗竿を立てたままでカップインしたゴルフボールを容易に取り出すことができ、しかもカップイン時に心地良い反響音を発することができるホールカップ底上げ具を提供する。【解決手段】ゴルフ用のホールカップ１内に載置されて当該ホールカップ１内を底上げするためのホールカップ底上げ具１０であって、上下方向に延在する高さが２０〜５０ｍｍの筒状体２０と、中央に旗竿通し孔部３５を有し、筒状体２０の上端側に一体的に設けられる音響板３０とを備えるものとする。【選択図】図１
0003229786.tif 000002
【実用新案登録請求の範囲】
【請求項１】
ゴルフ用のホールカップ内に載置されて当該ホールカップ内を底上げするためのホールカップ底上げ具であって、
上下方向に延在する高さが２０〜５０ｍｍの筒状体と、
中央に旗竿通し孔部を有し、前記筒状体の上端側に一体的に設けられる音響板と、
を備えるホールカップ底上げ具。
【請求項２】
前記筒状体は円筒状で、前記音響板は円板状で、前記旗竿通し孔部は円孔状である請求項１に記載のホールカップ底上げ具。
【請求項３】
前記筒状体の外径（Ｄ１）と前記音響板の外径（Ｄ２）との比（Ｄ１／Ｄ２）が０．４〜１．０である請求項２に記載のホールカップ底上げ具。
【請求項４】
前記旗竿通し孔部の内径（ｄ）と前記音響板の外径（Ｄ２）との比（ｄ／Ｄ２）が０．１〜０．７である請求項２又は３に記載のホールカップ底上げ具。
【考案の詳細な説明】
【技術分野】
【０００１】
本考案は、ゴルフ用のホールカップ内に載置されて当該ホールカップ内を底上げするためのホールカップ底上げ具に関する。
【背景技術】
【０００２】
複雑であったゴルフルールを簡素化し、ゴルフをより身近に楽しめるスポーツとすることを目的に、２０１９年１月１日からゴルフルールが大幅に改正された。
【０００３】
従来のルールでは、パッティンググリーン上でパットをする場合、ホールカップから旗竿（ピンフラッグ）を抜かなくてはならなかったが、今回のルール改正により、パッティンググリーンでのプレーに関しても、ホールカップに旗竿を立てたままのパッティングが認められるようになった。
【０００４】
しかし、ホールカップに旗竿を立てたままで、カップインしたゴルフボールを拾い上げようとすると、旗竿が邪魔になってホールカップに対し手が入る隙間が狭くなるので、ホールカップの周辺のパッティンググリーン面に手指が当たってしまい、パッティンググリーン面を傷めてしまうことがある。
【０００５】
従来の技術として、カップインしたゴルフボールをパッティンググリーン上に放出する装置が提案されている（例えば、特許文献１及び２を参照）。
【０００６】
特許文献１には、ゼンマイバネという機械的駆動力を利用して、カップイン後一定時間経過すると、ゴルフボールを自動的にパッティンググリーン上に放出するようにした機械仕掛けの装置が開示されている。
【０００７】
特許文献２には、ゴルフボール衝撃ダイヤフラムにゴルフボールが触れたときのたわみに応答して付勢手段を作動させて、ゴルフボールを放出するようにした電気仕掛けの装置が開示されている。
【０００８】
一方、より楽しくプレーを行うという観点から、カップインしたときに、心地良い反響音を発するホールカップが提案されている（例えば、特許文献３を参照）。
【先行技術文献】
【特許文献】
【０００９】
【特許文献１】実開昭５５−１８０４６５号公報
【特許文献２】特開昭４８−４５３４６号公報
【特許文献３】特開平１０−２３４９０８号公報
【考案の概要】
【考案が解決しようとする課題】
【００１０】
しかしながら、特許文献１に係る機械仕掛けの装置では、ゼンマイバネ、軸受、歯車等の精密な機械部品が使用されていることから、雨等の水分の影響や、砂やほこり等がこれらの機械部品に入り込むことで、作動不良になる虞がある。また、特許文献２に係る電気仕掛けの装置についても、同様の懸念が考えられる。さらに、特許文献１及び２係る装置は何れも、構造が複雑であるとともに、カップイン時に反響音が発せられるような構造について考慮されていない。特許文献３には、カップイン時に心地良い反響音を発するホールカップに関する技術について開示されているが、パッティンググリーン面を損傷することなく、旗竿を立てたままでカップインしたゴルフボールを容易に取り出す技術については開示されていない。
【００１１】
本考案は、上記の課題に鑑みてなされたものであり、機械仕掛けや電気仕掛けのような構造が複雑な装置ではなく簡単な構造によって、パッティンググリーン面を損傷することなく、旗竿を立てたままでカップインしたゴルフボールを容易に取り出すことができ、しかもカップイン時に心地良い反響音を発することができるホールカップ底上げ具を提供することを目的とする。
【課題を解決するための手段】
【００１２】
上記課題を解決するための本考案に係るホールカップ底上げ具の特徴構成は、
ゴルフ用のホールカップ内に載置されて当該ホールカップ内を底上げするためのホールカップ底上げ具であって、
上下方向に延在する高さが２０〜５０ｍｍの筒状体と、
中央に旗竿通し孔部を有し、前記筒状体の上端側に一体的に設けられる音響板と、
を備えることにある。
【００１３】
本構成のホールカップ底上げ具によれば、上下方向に延在する高さが２０〜５０ｍｍの筒状体の上端側に、旗竿通し孔部を有する音響板が一体的に設けられる構成であり、機械仕掛けや、電気仕掛けの構造のものと比べて、極めて簡単な構造である。このような構造のホールカップ底上げ具をホールカップの底に置くと、カップイン時にゴルフボールを受け止める受皿の機能を兼ねる音響板が、筒状体によって２０〜５０ｍｍ程度嵩上された位置に配されることになる。これにより、カップインしたゴルフボールは、２０〜５０ｍｍ程度嵩上された位置に配される音響板上に載ることになり、旗竿を立てたままであっても、ホールカップの周辺のパッティンググリーン面に手指が当たることなく、音響板上のゴルフボールを手指で掴むことができる。従って、パッティンググリーン面を損傷することなく、旗竿を立てたままでカップインしたゴルフボールを容易に取り出すことができる。また、音響板は、筒状体によって２０〜５０ｍｍ程度嵩上されるも、ホールカップの上端から所定の深さ位置に配されることになる。このため、ゴルフボールが音響板上に落下したときに発せられる音のうち、ホールカップの上方に向けて発せられる音は、ホールカップの内周面で反射しながら進んで反響音となり、かかる反響音がホールカップの外部に発せられる。また、ゴルフボールが音響板上に落下したときに発せられる音のうち、ホールカップの底面に向かって発せられる音は、筒状体の内周面で反射しながらホールカップの底面に向かって進みホールカップの底面で反射して反響音となり、旗竿通し孔部を通してホールカップの上方に向けて発せられる。これらの反響音の相乗効果により、カップイン時に「カッコン」という心地良い反響音が発せられることになる。
【００１４】
本考案に係るホールカップ底上げ具において、
前記筒状体は円筒状で、前記音響板は円板状で、前記旗竿通し孔部は円孔状であることが好ましい。
【００１５】
一般的に、ゴルフ用のホールカップは、横断面円環状で上方が開口された有底容器状に形成されている。本構成のホールカップ底上げ具の音響板は円板状であるため、音響板が円板状以外の形状である場合と比べて、ホールカップ内において最大限の面積を確保することができる。これにより、カップイン時にゴルフボールを確実に受け止めることができる。また、音響板が円板状で、且つ音響板を支持する筒状体が円筒状であることにより、音響板の周方向に偏りなく均等に音響板が筒状体に支持されることになり、カップイン時にゴルフボールが音響板のどの位置に落ちても音響板は同様に振動することになる。従って、カップイン時に「カッコン」という心地良い反響音を安定的に発することができる。さらに、旗竿通し孔部が円孔状であることにより、一般的に丸パイプ状の旗竿の抜き差し動作をスムーズに行うことができるとともに、反響音をホールカップの上方に向けて均一に発することができる。
【００１６】
本考案に係るホールカップ底上げ具において、
前記筒状体の外径（Ｄ１）と前記音響板の外径（Ｄ２）との比（Ｄ１／Ｄ２）が０．４〜１．０であることが好ましい。
【００１７】
本構成のホールカップ底上げ具によれば、筒状体の外径（Ｄ１）と音響板の外径（Ｄ２）との比（Ｄ１／Ｄ２）が０．４〜１．０に設定される。これにより、ゴルフボールが音響板上に落下したときに、音響板が程よく振動するとともに、音響板の振動に伴い発せられる音のうち、ホールカップの底面に向かって発せられる音が筒状体内で確実に反射して、反響音を確実に生成することができる。
【００１８】
本考案に係るホールカップ底上げ具において、
前記旗竿通し孔部の内径（ｄ）と前記音響板の外径（Ｄ２）との比（ｄ／Ｄ２）が０．１〜０．７であることが好ましい。
【００１９】
音響板に設けられる旗竿通し孔部は、ホールカップの底にホールカップ底上げ具を置いたままで、ホールカップに対し旗竿を抜き差しするのに必要不可欠なものであるとともに、反響音を発する放出口としても機能する。本構成のホールカップ底上げ具によれば、旗竿通し孔部の内径（ｄ）と音響板の外径（Ｄ２）との比（ｄ／Ｄ２）が０．１〜０．７に設定される。これにより、落下するゴルフボールを受け止めたときに音響板が程よく振動するとともに、音響板の振動に伴い生成される筒状体内の反響音が旗竿通し孔部を通ることで一旦絞られた後にホールカップの上方に向けて発せられることになる。従って、ホールカップの底にホールカップ底上げ具を置いたままで、ホールカップに対し旗竿をスムーズに抜き差し可能であるとともに、カップイン時の心地良い反響音を確実に得ることができる。
【図面の簡単な説明】
【００２０】
【図１】図１は、本考案に係るホールカップ底上げ具がホールカップ内に設置された状態をホールカップの一部を破断して示す斜視図である。
【図２】図２は、本考案に係るホールカップ底上げ具の全体斜視図である。
【図３】図３は、本考案に係るホールカップ底上げ具を示し、（ａ）は平面図、（ｂ）は正面図、（ｃ）は底面図である。
【考案を実施するための形態】
【００２１】
以下、本考案について、図面を参照しながら説明する。ただし、本考案は、以下に説明する実施形態や図面に記載される構成に限定されることは意図しない。
【００２２】
＜ホールカップの概略説明＞
図１は、本考案に係るホールカップ底上げ具がホールカップ内に設置された状態をホールカップの一部を破断して示す斜視図である。図１に示すホールカップ１は、パッティンググリーンＰＧに埋設されている。ホールカップ１は、ケーシング２、受皿３及び保持部材４を備えている。ホールカップ１の内部には、旗竿Ｓが立てられている。
【００２３】
ケーシング２は、円盤状の底板５と、底板５の外周端から上方に向かって垂直に延びる円筒状の側板６とを備え、横断面円環状で上方が開口された有底容器状に形成されている。ゴルフコースで使用する場合、規定により側板６の上端は、パッティンググリーンＰＧの表面から１インチ（２５．４ｍｍ）以上深く埋設する必要がある。
【００２４】
受皿３は、本来、カップインしたゴルフボールＢを受け止めるホールカップ１内の実質的な底面を構成するものであり、ケーシング２の内部において地面から深さ（Ｌ１）の高さ位置に配設されている。本例において、受皿３は、ホールカップ底上げ具１０を載置するための載置面を構成する。ゴルフコースで使用する場合、深さ（Ｌ１）は、４インチ（１０１．６ｍｍ）以上とする必要がある。
【００２５】
保持部材４は、旗竿Ｓの下端部を保持して旗竿Ｓを起立状態に支持するものであり、ケーシング２における底板５上の中央に設置されている。
【００２６】
＜ホールカップ底上げ具＞
図２は、本考案に係るホールカップ底上げ具の全体斜視図である。図２に示すホールカップ底上げ具１０は、円筒状の筒状体２０と、円板状の音響板３０とを備え、音響板３０の下面に筒状体２０の上端が突き合わされた状態で両者の突き合わせ部分における円周方向の複数箇所が部分的に溶接されて、筒状体２０の上端側に音響板３０が一体的に設けられて構成されている。
【００２７】
図３は、本考案に係るホールカップ底上げ具を示し、（ａ）は平面図、（ｂ）は正面図、（ｃ）は底面図である。
【００２８】
＜筒状体＞
図３（ａ）〜（ｃ）に示すように、筒状体２０は、上下方向に延在する円筒状部材からなるものである。筒状体２０を円筒状部材で構成することにより、円板状の音響板３０を偏りなく均一に支持することができる。なお、本例では、筒状体２０が円筒状部材からなる例を示したが、これに限定されるものではなく、三角筒状、四角筒状等の多角形筒状や、楕円筒状の筒状部材からなるものであってもよい。
【００２９】
＜筒状体の高さ（ｈ）＞
筒状体２０の高さ（ｈ）は、２０〜５０ｍｍであり、２５〜４５ｍｍであることが好ましく、３０〜４０ｍｍであることがより好ましい。筒状体の高さ（ｈ）が２０〜５０ｍｍの範囲内にある場合、音響板３０の嵩上げによって音響板３０上のゴルフボールＢを容易に手指で掴むことができるとともに、筒状体２０内での音の反射が良好となり、心地良い反響音が発せられる。筒状体２０の高さ（ｈ）が２０ｍｍ未満の場合、音響板３０の嵩上げ量が不足するため、旗竿Ｓを立てた状態において、音響板３０上のゴルフボールＢを手指で掴むことが難しくなる。筒状体２０の高さ（ｈ）が５０ｍｍを超えると、筒状体２０内での音の反射が緩慢になり、心地良い反響音が発せられない虞がある。
【００３０】
＜筒状体の外径（Ｄ１）＞
筒状体２０の外径（Ｄ１）は、３０〜１００ｍｍであり、４０〜９０ｍｍであることが好ましく、５０〜８０ｍｍであることがより好ましい。筒状体２０の外径（Ｄ１）が３０〜１００ｍｍの範囲内にある場合、筒状体２０内に必要十分な音が取り込まれるとともに、筒状体２０内での音の反射が良好となり、心地良い反響音が十分な音量で発せられる。筒状体２０の外径（Ｄ１）が３０ｍｍ未満の場合、筒状体２０内に取り込まれる音が少なくなり過ぎて筒状体２０内での音の反射が不足するため、十分な音量の反響音が発せられない虞がある。筒状体２０の外径（Ｄ１）が１００ｍｍを超えると、筒状体２０内での音の反射が緩慢になり、心地良い反響音が発せられない虞がある。
【００３１】
＜音響板＞
音響板３０は、中央に旗竿Ｓを通すための旗竿通し孔部３５を有する円板状の板材からなるものである。音響板３０を円板状とすることにより、音響板３０が円板状以外の形状である場合と比べて、ホールカップ１内において最大限の面積を確保することができる。これにより、カップイン時にゴルフボールＢを確実に受け止めることができる。なお、本例では、音響板が円板状である例を示したが、これに限定されるものではなく、三角板状、四角板状等の多角板状や、楕円板状等であってもよい。旗竿通し孔部３５は、ホールカップ１の本来の底面を構成する受皿３上にホールカップ底上げ具１０を載置したままで、ホールカップ１に対し旗竿Ｓを抜き差しするのに必要不可欠なものであるとともに、反響音を発する放出口としても機能する。
【００３２】
＜音響板の外径（Ｄ２）＞
音響板の外径（Ｄ２）は、５０〜１０７ｍｍであり、７０〜１０６ｍｍであることが好ましく、９０〜１０５ｍｍであることがより好ましい。音響板３０の外径（Ｄ２）が５０〜１０７ｍｍの範囲内である場合、十分な音量の反射音が発せられるとともに、ホールカップ１に対するホールカップ底上げ具１０の設置作業をスムーズに行うことができる。音響板３０の外径（Ｄ２）が５０ｍｍ未満の場合、ホールカップ１内に落下するゴルフボールＢを受け止める受止面が少なくなり過ぎて振動が不足するため、十分な音量の反射音が発せられない虞がある。音響板３０の外径（Ｄ２）が１０７ｍｍを超える場合、一般的に内径が１０８ｍｍ程度のホールカップ１内にホールカップ底上げ具１０を載置する際に、ホールカップ１の内周面と音響板３０の外周端とが干渉する虞があり、ホールカップ底上げ具１０の設置作業をスムーズに行うことができない虞がある。
【００３３】
＜音響板の旗竿通し孔部の内径（ｄ）＞
旗竿通し孔部３５の内径（ｄ）は、１５〜５０ｍｍであり、２０〜４５ｍｍであることが好ましく、２５〜４０ｍｍであることがより好ましい。旗竿通し孔部３５の内径（ｄ）が１５〜５０ｍｍの範囲内である場合、旗竿通し孔部３５から十分な音量の反射音が発せられるとともに、旗竿Ｓの抜き差し作業をスムーズに行うことができる。旗竿通し孔部３５の内径（ｄ）が１５ｍｍ未満の場合、旗竿通し孔部３５の開口面積が不足するため、旗竿通し孔部３５から十分な音量の反射音が発せられない虞がある。また、旗竿通し孔部３５に旗竿Ｓを通す際に、旗竿通し孔部３５の縁と旗竿Ｓとが干渉する虞があり、旗竿Ｓの抜き差し作業をスムーズに行うことができない虞がある。旗竿通し孔部３５の内径（ｄ）が５０ｍｍを超える場合、音響板３０において、ホールカップ１内に落下するゴルフボールＢを受け止める受止面が少なくなり過ぎて振動が不足するため、十分な音量の反射音が発せられない虞がある。
【００３４】
＜音響板の板厚（ｔ）＞
音響板３０の板厚（ｔ）は、１．０〜５．０ｍｍであり、１．２〜３．０ｍｍであることが好ましく、１．４ｍｍ〜２．０ｍｍであることがより好ましい。音響板３０の板厚（ｔ）が１．０〜５．０ｍｍの範囲内である場合、十分な音量の心地良い反響音が発せられる。音響板３０の板厚（ｔ）が１．０ｍｍ未満である場合、ホールカップ１内に落下するゴルフボールＢを音響板３０が受け止めたときの弾性変形量が過剰となり、音響板３０が程よく振動しないため、心地良い反響音が発せられない虞がある。音響板３０の板厚（ｔ）が５．０ｍｍを超える場合、ホールカップ１内に落下するゴルフボールＢを音響板３０が受け止めたときに殆ど弾性変形しないため、音響板３０の振動が不足し、十分な音量の反射音が発せられない虞がある。
【００３５】
＜外径（Ｄ１）と外径（Ｄ２）との比（Ｄ１／Ｄ２）＞
筒状体２０の外径（Ｄ１）と音響板３０の外径（Ｄ２）との比（Ｄ１／Ｄ２）は、０．４〜１．０であり、０．５〜０．９であることが好ましく、０．６〜０．８であることがより好ましい。比（Ｄ１／Ｄ２）が０．４〜１．０の範囲内である場合、ゴルフボールＢが音響板３０上に落下したときに、音響板３０が程よく振動するとともに、音響板３０の振動に伴い発せられる音のうち、ホールカップ１の本来の底面を構成する受皿３に向かって発せられる音が筒状体２０内で確実に反射して、反響音を確実に生成することができる。比（Ｄ１／Ｄ２）が０．４未満である場合、音響板３０の外径に対し筒状体２０の外径が相対的に小さくなり過ぎる。このため、筒状体２０内に取り込まれる音が少なくなり過ぎて筒状体２０内での音の反射が不足し、十分な音量の反響音が発せられない虞がある。比（Ｄ１／Ｄ２）が１．０を超える場合、音響板３０の外径に対し筒状体２０の外径が相対的に大きくなり過ぎて、筒状体２０内での音の反射が緩慢になり、心地良い反響音が発せられない虞がある。また、音響板３０の外径の大きさによっては、ホールカップ１の内周面に筒状体２０が干渉する虞があり、ホールカップ底上げ具１０のホールカップ１内への設置作業をスムーズに行うことができない虞がある。
【００３６】
＜内径（ｄ）と外径（Ｄ２）との比（ｄ／Ｄ２）＞
旗竿通し孔部３５の内径（ｄ）と音響板３０の外径（Ｄ２）との比（ｄ／Ｄ２）は、０．１〜０．７であり、０．２〜０．６であることが好ましく、０．３〜０．５であることがより好ましい。比（ｄ／Ｄ２）が０．１〜０．７の範囲内である場合、ホールカップ１内に落下するゴルフボールＢを受け止めたときに音響板３０が程よく振動するとともに、音響板３０の振動に伴い生成される筒状体２０内の反響音が旗竿通し孔部３５を通ることで一旦絞られた後にホールカップ１の上方に向けて発せられることになる。従って、カップイン時の心地良い反響音を確実に得ることができる。比（ｄ／Ｄ２）が０．１未満である場合、旗竿通し孔部３５の開口面積が不足するため、旗竿通し孔部３５から十分な音量の反射音が発せられない虞がある。また、旗竿通し孔部３５に旗竿Ｓを通す際に、旗竿通し孔部３５の縁と旗竿Ｓとが干渉する虞があり、旗竿Ｓの抜き差し作業をスムーズに行うことができない虞がある。比（ｄ／Ｄ２）が０．７を超える場合、ホールカップ１内に落下するゴルフボールＢを受け止める受止面が少なくなり過ぎて振動が不足するため、十分な音量の反射音が発せられない虞がある。
【００３７】
ホールカップ底上げ具１０においては、音響板３０が円板状で、且つ音響板３０を支持する筒状体２０が円筒状であることにより、音響板３０の周方向に偏りなく均等に音響板３０が筒状体２０に支持されることになり、カップイン時にゴルフボールＢが音響板３０のどの位置に落ちても音響板３０は同様に振動することになる。従って、「カッコン」という心地良い反響音をカップイン時に安定的に発することができる。さらに、旗竿通し孔部３５が円孔状であることにより、一般的に丸パイプ状の旗竿Ｓの抜き差し動作をスムーズに行うことができるとともに、反響音をホールカップ１の上方に向けて均一に発することができる。
【００３８】
筒状体２０及び音響板３０は、何れも金属材料からなり、例えば、ステンレスや黄銅、白銅、青銅、アルミニウム合金等のように、衝撃に対する共振性のよい金属材料により製造するのが好ましい。
【００３９】
＜使用例の説明＞
以上に述べたように構成されるホールカップ底上げ具１０を使用する際には、図１に示すように、ホールカップ１におけるケーシング２内の受皿３上にホールカップ底上げ具１０を載置する。保持部材４には、旗竿Ｓの下端部が差し込まれて、ホールカップ１に旗竿Ｓが立てられている。プレー効率化等の観点から、ホールカップ１に旗竿Ｓを立てた状態でパッティングを行う。
【００４０】
パッティングにより、パッティンググリーンＰＧ上を転がるゴルフボールＢが、ホールカップ１に向かって進み、ホールカップ１に到達すると、ホールカップ１内に設置されたホールカップ底上げ具１０における音響板３０上にゴルフボールＢが落下する。ゴルフボールＢが音響板３０上に落下したときに発せられる音のうち、ホールカップ１の上方に向けて発せられる音は、ホールカップ１の内周面（側板６の内周面）で反射しながら進んで反響音となり、かかる反響音がホールカップ１の外部に発せられる。また、ゴルフボールＢが音響板３０上に落下したときに発せられる音のうち、ホールカップ１の本来の底面を構成する受皿３に向かって発せられる音は、筒状体２０の内周面で反射しながら受皿３に向かって進み受皿３の上面で反射して反響音となり、旗竿通し孔部３５を通してホールカップ１の上方に向けて発せられる。これらの反響音の相乗効果により、カップイン時に「カッコン」という心地良い反響音が発せられることになる。
【００４１】
例えば、地面から４インチ（１０１．６ｍｍ）の深さ（Ｌ１）に受皿３の上面が位置するように受皿３が配設され、筒状体２０の高さ（ｈ）が３０ｍｍ、音響板３０の板厚（ｔ）が１．５ｍｍである場合（ホールカップ底上げ具１０の高さ（Ｈ）は３１．５ｍｍ）、音響板３０は、筒状体２０によって３０ｍｍ程度嵩上されて、音響板３０の上面が地面から７０．１ｍｍの深さ（Ｌ２）に位置するように配される。ゴルフボールＢの直径は規格により４２．６７ｍｍと定められているので、カップインして音響板３０上に載ったゴルフボールＢの中心は、地面から約４９ｍｍの深さ（Ｌ３）に位置している。ゴルフボールＢを掴むときは、主に、親指、人差し指及び中指の３本の指を使う。日本人の男女の平均的な手指の長さは、親指が５９ｍｍ、人差し指が６９．５ｍｍ、中指が７７．４ｍｍであるため、ボール中心が地面から約４９ｍｍの深さ（Ｌ３）の位置にあるゴルフボールＢを、旗竿Ｓを立てたままであっても、ホールカップ１の周辺のパッティンググリーンＰＧ面に手指が当たることなく、音響板３０上のゴルフボールＢを親指、人差し指及び中指で掴むことができる。従って、パッティンググリーンＰＧ面を損傷することなく、旗竿Ｓを立てたままで、カップインしたゴルフボールＢを容易に取り出すことができる。
【００４２】
以上、本考案のホールカップ底上げ具について、一実施形態に基づいて説明したが、本考案は上記実施形態に記載した構成に限定されるものではなく、その趣旨を逸脱しない範囲において適宜その構成を変更することができるものである。
【産業上の利用可能性】
【００４３】
本考案のホールカップ底上げ具は、ゴルフ用のホールカップ内を底上げするとともに、カップイン時の心地良い反響音で楽しくプレーを行う用途において利用可能である。
【符号の説明】
【００４４】
１      ホールカップ
１０    ホールカップ底上げ具
２０    筒状体
３０    音響板
３５    旗竿通し孔部
【図１】
0003229786.tif 000003
【図２】
0003229786.tif 000004
【図３】
0003229786.tif 000005